(57)【特許請求の範囲】
【請求項１】
ユーザ１５０、２５０に対して所与の解剖学ビュー及び患者サイズに関するスライス再構成パラメータの選択を可能にさせるトモシンセシス再構成選好編集ツール５００、６００と、
トモシンセシス収集のための選択された前記解剖学ビュー及び患者サイズに対して行われたスカウト収集の線量を基準としてトモシンセシス収集の線量を制御する線量比のユーザによる編集を可能にする線量選好編集ツール７００と、
を提供するユーザインタフェース１４０、２４０を備え、
前記スライス再構成パラメータは、選択された前記解剖学ビュー及び患者サイズに対する開始高さ、終了高さ、スライス間隔、サンプリング係数を含んでおり、
前記トモシンセシス再構成選好編集ツール５００、６００は、選択された前記解剖学ビュー及び患者サイズに対する前記スライス再構成パラメータをデータベースに保存する保存機能と、前記データベースへ所与の患者サイズ群のためのスライス再構成パラメータを保存するマルチ保存機能を有しており、
前記線量選好編集ツール７００は、選択された前記解剖学ビュー及び患者サイズに対する前記線量比をデータベースに保存する保存機能と、前記データベースへ所与の患者サイズ群のための線量比を保存するマルチ保存機能を有している、
トモシンセシスシステム１００、２００。
【請求項２】
さらに、ユーザ１５０、２５０に対して異なるパラメータによってトモシンセシススライスを遡及的に、すなわち画像をデフォルトパラメータによって収集しかつ表示させた後で、再構成することを可能にさせる遡及的画像再構成処理編集ツール１２００を提供するユーザインタフェース１４０、２４０を備える請求項１に記載のトモシンセシスシステム１００、２００。
【請求項３】
さらに、ユーザ１５０、２５０に対して任意の単一スライスの属性が変化したときトモシンセシス画像スライス系列全体に対して変更を適用することを可能にさせる自動転送ツール１３００を提供するユーザインタフェース１４０、２４０をさらに備える請求項１または２に記載のトモシンセシスシステム１００、２００。
【請求項４】
さらに、ユーザ１５０、２５０に対してトモシンセシス画像スライス系列全体またはスライス系列のある範囲に対するアノテーションの追加または削除を可能にさせる画像アノテーション伝播ツール１４００を提供するユーザインタフェース１４０、２４０を備える請求項１乃至３のいずれかに記載のトモシンセシスシステム１００、２００。
【請求項５】
さらに、ユーザ１５０、２５０に対してトモシンセシス画像スライス系列全体またはスライス系列のある範囲に対する品質チェックタグの追加または削除を可能にさせる品質管理タグ選択ツール１５００を提供するユーザインタフェース１４０、２４０を備える請求項１乃至４のいずれかに記載のトモシンセシスシステム１００、２００。
【請求項６】
ユーザ１５０、２５０に対してスカウト収集パラメータの承認または編集を可能にさせるスカウト収集編集ツール８００を提供するユーザインタフェース１４０、２４０を備えており、該スカウト収集編集ツール８００はユーザ１５０、２５０に対してスカウト収集の省略を可能にしている請求項１乃至５のいずれかに記載のトモシンセシスシステム１００、２００。
【請求項７】
ユーザ１５０、２５０に対してトモシンセシス収集パラメータの承認または編集を可能にさせるトモシンセシス収集編集ツール９００を提供するユーザインタフェース１４０、２４０を備えており、該トモシンセシス収集編集ツール９００はユーザ１５０、２５０に対してスカウト収集の再採取を可能にさせている請求項１乃至４のいずれかに記載のトモシンセシスシステム１００、２００。
【請求項８】
前記患者サイズ群は、全者、全小児、全成人、小柄の小児、中程度小児、大柄の小児、小柄の成人、中程度成人及び大柄の成人を含む請求項１乃至７のいずれかに記載のトモシンセシスシステム１００、２００。
【請求項９】
前記トモシンセシス再構成選好編集ツール５００、６００は、前記患者サイズ群を選択可能なドロップダウンリストを含む請求項８に記載のトモシンセシスシステム１００、２００。
【発明の詳細な説明】
【技術分野】
【０００１】
本出願は、その開示を参照により本明細書に組み込むものとする米国特許仮出願第６０／９４７，３９０号（２００７年６月２９日出願）に基づくと共に、その特典を主張するものである。
【背景技術】
【０００２】
本開示は、全般的にはＸ線システム及び方法に関し、さらに詳細にはディジタルＸ線放射トモシンセシスのユーザインタフェース及び作業フローを改良したシステム及び方法に関する。
【０００３】
従来のディジタルＸ線放射システムでは、静止したＸ線源からＸ線ビームを発生させ、これを撮像しようとする患者を通過させて静止したＸ線検出器上に投射させている。従来のディジタルＸ線放射システムに関する典型的な患者検査は、１回の単一照射収集またはその各々が患者解剖部位の異なる投影となった複数回の単一照射収集からなる。したがって、１回の検査あたりの画像数は非常に限定されることがある。
【０００４】
ディジタルＸ線放射トモシンセシスシステムでは、ある限定された角度範囲内を移動するＸ線源からＸ線ビームを発生させ、これを撮像しようとする患者を通過させて静止したＸ線検出器上に投射させている。ディジタルトモシンセシスは、患者の一連の２次元（２Ｄ）投影画像から３次元（３Ｄ）画像の再構成を可能にするような制限角度撮像技法の１つである。これによれば、一連の２Ｄ画像から患者の３Ｄ画像作成が可能となる。患者に関する一連の２Ｄ投影画像はそれぞれが異なる投影角度で取得されており、この一連の２Ｄ投影画像から３Ｄ画像が作成される。
【０００５】
ディジタルトモシンセシス収集は、静止形検出器のある限定された角度範囲内を移動させるＸ線源の単一掃引の間で一連の低線量照射をする必要がある。３Ｄ画像データは、患者を通過するその各々が検出器面と平行な多数のスライスの形態で生成される。ディジタルトモシンセシス収集の後、ディジタルトモシンセシスシステムは検出器と平行なスライスと呼ばれる多数の面を再構成する。これらのスライスは、異なる深度にある解剖学的構造を表している。ディジタルＸ線放射トモシンセシスシステムは、異なるスライス内において構造の重なり（ｏｖｅｒｌａｐｐｉｎｇ）及び被さり（ｏｖｅｒｌａｙｉｎｇ）を除去すると共に、構造の鮮明性（ｃｏｎｓｐｉｃｕｉｔｙ）（明瞭度及び輝度）を向上させる。
【０００６】
ディジタルＸ線放射トモシンセシス収集は、従来のディジタルＸ線放射収集と全く異なっており、有する構成が異なり、作業フローが異なり、用いる技法が異なり、また提供する画像が異なる、等々である。ディジタルＸ線放射トモシンセシス収集は複雑であり、かつ指定を要するパラメータが多いため、ユーザに対して各検査の臨床要件に基づいた所望の再構成、線量及び収集パラメータの選択を可能にするような単純でユーザフレンドリなユーザインタフェースを提供することが望ましい。
【特許文献１】米国特許出願公開第２００２０１４１５３２号
【発明の開示】
【発明が解決しようとする課題】
【０００７】
したがって、トモシンセシス技法の複雑性の理解を要することなく、また該複雑性に関わることを要することなく、選好、所望の線量及び再構成設定の選択においてユーザを支援することが可能なユーザフレンドリなインタフェースからなる組を備えた改良型のユーザインタフェースを有するディジタルＸ線放射トモシンセシスシステムが必要とされている。
【課題を解決するための手段】
【０００８】
一実施形態では、トモシンセシスシステムは、ユーザに対して指定の解剖学ビュー及び患者サイズに関するスライス再構成パラメータのカスタマイズを可能にさせるトモシンセシス選好編集ツールを提供するユーザインタフェースを備える。
【０００９】
一実施形態では、トモシンセシスシステムは、ユーザに対してスカウト収集パラメータの承認または編集を可能にさせるスカウト収集編集ツールを提供するユーザインタフェースを備える。
【００１０】
一実施形態では、トモシンセシスシステムは、ユーザに対してトモシンセシス収集パラメータの承認または編集を可能にさせるトモシンセシス収集編集ツールを提供するユーザインタフェースを備えており、該トモシンセシス収集編集ツールはユーザに対してスカウト収集の再採取を可能にさせている。
【００１１】
一実施形態では、トモシンセシスシステムは、ユーザに対して指定の解剖学ビュー及び患者サイズに関する線量パラメータのカスタマイズを可能にさせるトモシンセシス選好編集ツールを提供するユーザインタフェースを備える。
【００１２】
一実施形態では、トモシンセシスシステムは、ユーザに対して指定の解剖学ビュー及び患者サイズに関するスライス再構成パラメータ及び線量パラメータのカスタマイズを可能にさせるトモシンセシス選好編集ツールを提供するユーザインタフェースを備える。
【００１３】
別の様々な特徴、目的及び利点は、添付の図面及びその詳細な説明から当業者には明らかとなろう。
【発明を実施するための最良の形態】
【００１４】
以下の詳細な説明では、本明細書の一部を形成すると共に、実施可能な特定の例示的実施形態を一例として図示している添付の図面を参照することにする。これらの例示的実施形態は、当業者が実施形態を実現できるように十分に詳細に記載しており、さらにこれら実施形態の趣旨を逸脱することなく別の実施形態も利用できること、並びに論理的、機械的、電気的その他の変更を実施できることを理解すべきである。以下の詳細な説明はしたがって、限定の意図と取るべきではない。
【００１５】
ここで図面を参照すると、図１及び２はディジタルＸ線放射トモシンセシスシステム１００、２００の例示的な実施形態を表している。図１は、構造１６０に取り付けられたＸ線源１０２と天板１１８の下でテーブル１１６内部に位置決めされたＸ線検出器１０４とを有するテーブル収集構成を表しており、また図２は、構造２６０に取り付けられＸ線源２０２と壁面スタンド２１６に取り付けられたＸ線検出器２０４とを有する壁面スタンド構成を表している。ディジタルＸ線放射トモシンセシス放射線撮像法システム１００、２００は、検査対象患者１０６、２０６にＸ線ビーム１０８、２０８の形態をした放射線を当てるＸ線源１０２、２０２を含む。Ｘ線ビーム１０８、２０８はＸ線源１０２、２０２によって放出され、検査対象患者１０６、２０６上に入射する。Ｘ線ビーム１０８、２０８からの放射線の一部分は患者内またはその周辺を通過して検出器１０４、２０４に当たる。
【００１６】
例示的一実施形態では、Ｘ線源１０２、２０２をＸ線管とすることがあり、また検査対象患者１０６、２０６は、人間の患者、動物の患者、テストファントーム、及び／または別の動かない検査対象物とすることがある。
【００１７】
検査対象患者１０６、２０６は、Ｘ線源１０２、２０２と検出器１０４、２０４の間に配置させる。トモシンセシス収集の間にＸ線源１０２、２０２は、図１及び２に示した面１１０、２１０に沿って移動すると共に、収集中はＸ線ビーム１０８、２０８が常に検出器１０４、２０４に向くように同期して回転している。上で言及したように、Ｘ線源１０２、２０２は典型的には、検出器１０４、２０４の面１１２、２１２と平行な単一面１１０、２１０に沿って動かされるが、検出器１０４、２０４と実質的に平行な単一面の外部で移動させることもある。放射線像を収集している間は、検出器１０４、２０４は静止位置に維持されている。Ｘ線源１０２、２０２の経路１１０、１１２に沿った離散的箇所において検出器１０４、２０４によって患者１０６、２０６に対する複数の離散的投影放射線像が収集される。投影放射線像から投影画像データを収集した後、アプリケーションソフトウェアによってスライス画像を再構成することができる。
【００１８】
ディジタルＸ線放射トモシンセシス撮像過程は、その弧状回転または直線的平行移動によってある限定された角度範囲１１４、２１４（掃引角度範囲）を動くと共に静止形検出器１０４、２０４に向けて焦点合わせしたＸ線源１０２、２０２を単一掃引する間における一連の低線量照射を含む。Ｘ線源１０２、２０２はこの単一掃引の間に複数の投影角度から複数の照射を送出する。掃引角度１１４、２１４は第１の投影照射から最終投影照射までの角度である。掃引角度１１４、２１４は典型的には２０〜６０度の範囲内にある。
【００１９】
例示的一実施形態では、検出器１０４、２０４は、患者内や患者の周囲を通るＸ線の強度を検知して各検出器素子の位置で入射Ｘ線ビーム強度を表す電気信号を発生させるような、概して画素に対応する複数の検出器素子を備えることがある。これらの電気信号は、患者解剖部位の３Ｄボリュメトリック画像を再構成するように収集されかつ処理される。介在する構造に関するＸ線の減衰及び吸収に応じて、各検出器素子に当たるＸ線の強度は様々となる。
【００２０】
図１及び２はさらに、本明細書に記載したようなディジタルＸ線放射トモシンセシス収集をするように少なくとも１つの再構成、線量及び／または収集パラメータを選択するためのユーザインタフェース１４０、２４０を提供するディジタルＸ線放射トモシンセシスシステム１００、２００のディジタルトモシンセシス撮像システム１２０、２２０と結合させたコンピュータワークステーション１３０、２３０を模式的に表している。
【００２１】
ディジタルトモシンセシス撮像システム１２０、２２０は、投影画像データを収集しかつ処理し、撮像した患者を表すボリュメトリック画像すなわち３次元（３Ｄ）画像を再構成するために使用されることがある。ディジタルトモシンセシス撮像システム１２０、２２０は、投影画像データを収集し、この画像データを観察及び解析のために処理するように設計されている。
【００２２】
コンピュータワークステーション１３０、２３０は、制御器１３４、２３４、プロセッサ１３６、２３６、メモリ１３８、２３８並びにユーザインタフェース１４０、２４０を備えた少なくとも１つのコンピュータ１３２、２３２を含む。プロセッサ１３６、２３６は、制御器１３４、２３４、メモリ１３８、２３８、及びユーザインタフェース１４０、２４０と結合させることがある。ユーザ１５０、２５０は、ディジタルＸ線放射トモシンセシスシステム１００、２００の動作を制御するためにコンピュータワークステーション１３０、２３０と対話する。例示的一実施形態では、メモリ１３８、２３８はメモリデバイス、メモリボード、データ記憶デバイス、あるいは当技術分野で周知の別の任意の記憶デバイスの形態を取ることがある。
【００２３】
ディジタルトモシンセシス撮像システム１２０、２２０は、患者及び検出器を基準としたＸ線源の位置決めを含め、ディジタルトモシンセシス検査シーケンスのための電力信号と制御信号の両者を供給することができる制御器１３４、２３４によって制御される。制御器１３４、２３４は検出器内で発生させた信号の収集を指令することがある。制御器１３４、２３４はさらに、ダイナミックレンジの初期調整、ディジタル画像データの交互配置その他に関するなどの様々な信号処理及びフィルタ処理機能を実行することがある。一般に制御器１３４、２３４は、検査プロトコルを実施して収集したデータを処理するようにディジタルトモシンセシス撮像システム１２０、２２０の動作を指令する。例示的一実施形態では、制御器１３４、２３４はコンピュータ１３２、２３２から命令を受け取る。例示的一実施形態では、制御器１３４、２３４はコンピュータワークステーション１３０、２３０ではなくディジタルトモシンセシス撮像システム１２０、２２０の一部とすることがある。
【００２４】
例示的一実施形態ではコンピュータ１３２、２３２は、線量、スライス配置（再構成設定）、収集パラメータなどの臨床関連のパラメータを選択及び／または変更するためにユーザ１５０、２５０が対話するためのユーザインタフェース１４０、２４０を含む、あるいはこれと結合させている。例示的一実施形態では、ディジタルＸ線放射トモシンセシスシステム１００、２００の動作はダウンロードされるかコンピュータ１３２、２３２内に組み込まれたソフトウェアプログラムまたはアルゴリズムの使用を介して実現される。
【００２５】
例示的一実施形態では、ユーザインタフェース１４０、２４０は複数の事前定義のツールを含むように構成し得る視覚的インタフェースであり、これによってユーザ１５０、２５０は再構成パラメータ（設定）の観察、選択及び編集、線量パラメータの観察及び選択、並びにトモシンセシス収集パラメータの観察、選択及び編集が可能となる。この複数の事前定義のツールには、トモシンセシス選好編集ツール、「スカウト」収集編集ツール、トモシンセシス収集編集ツール、及び複数のスライス画像処理編集ツールを含むことがある。ユーザインタフェース１４０、２４０によってさらにユーザ１５０、２５０は再構成画像の観察が可能となる。
【００２６】
例示的一実施形態では、ユーザインタフェース１４０、２４０は、ユーザインタフェース１４０、２４０のディスプレイ上に表示させた複数の事前定義のツールに関する情報を入力及び／または選択するための少なくとも１つの入力デバイスを含むことがある。例示的一実施形態では、この少なくとも１つの入力デバイスは、タッチスクリーンディスプレイ、マウス、キーボード、少なくとも１つの押下ボタン、あるいは当技術分野で周知の別の任意の入力デバイスの形態を取ることがある。
【００２７】
図３は、ディジタルＸ線放射トモシンセシスシステムの作業フロー方法の例示的一実施形態３００の流れ図である。方法３００は、Ｘ線照射の開始前に事前収集再構成パラメータを選択する工程３０２を含む。方法３００はさらに、Ｘ線照射の開始前に事前収集線量パラメータを選択する工程３０４を含む。トモシンセシス収集の開始前に、ユーザには最適なトモシンセシス検査を取得するために「スカウト」収集を実行する機会（３０６）が与えられる。ユーザが「スカウト」収集を実行するように選択した場合、ユーザには「スカウト」収集の実行（３１０）前にデフォルト「スカウト」収集パラメータを承認または編集する能力（３０８）が与えられる。ユーザが「スカウト」収集を実行しないように選択した場合、ユーザにはトモシンセシス収集の実行（３１６）前にデフォルトトモシンセシス収集パラメータを承認または編集する能力（３１２）が与えられる。「スカウト」収集を実行（３１０）した後、ユーザにはトモシンセシス収集の実行（３１６）前にデフォルトトモシンセシス収集パラメータを承認または編集する能力（３１２）が与えられる。「スカウト」収集を実行（３１０）した後、ユーザにはさらにトモシンセシス収集の実行（３１６）前に再構成パラメータを編集する能力（３１４）が与えられる。トモシンセシス収集を実行（３１６）した後、画像が処理される（３１８）。
【００２８】
図４は、ディジタルＸ線放射トモシンセシスシステムの作業フロー方法の例示的一実施形態４００の流れ図である。方法４００は、トモシンセシス収集のためのＸ線照射の開始前に再構成パラメータを選択する工程４０２を含む。これらの再構成パラメータはトモシンセシス放射線撮像法システムによって保存される（４０４）。方法４００はさらに、トモシンセシス収集のためのＸ線照射の開始前に線量パラメータを選択する工程（４０６）を含む。これらの線量パラメータはトモシンセシス放射線撮像法システムによって保存される（４０８）。トモシンセシス収集の開始前に、ユーザには最適なトモシンセシス検査を取得するように「スカウト」収集を実行する機会（４１０）が与えられる。ユーザが「スカウト」収集を実行するように選択した場合、ユーザには「スカウト」収集の実行（４１４）前にデフォルト「スカウト」収集パラメータを承認または編集する能力（４１２）が与えられる。ユーザが「スカウト」収集を実行しないように選択した場合、ユーザにはトモシンセシス収集の実行（４２４）前にデフォルトトモシンセシス収集パラメータを承認または編集する能力（４１６）が与えられる。「スカウト」収集を実行（４１４）した後、ユーザにはトモシンセシス収集の実行（４２４）前にデフォルトトモシンセシス収集パラメータを承認または編集する能力（４１６）が与えられる。この時点において、ユーザには「スカウト」収集を再採取する能力（４１８）が与えられる。ユーザが「スカウト」収集を再採取するように選択した場合、ユーザには「スカウト」収集の再採取（４１４）の前に「スカウト」収集パラメータを編集する能力（４１２）が与えられる。ユーザが「スカウト」収集を再採取しないように選択した場合、ユーザにはトモシンセシス収集の実行（４２４）前にトモシンセシス再構成パラメータを編集する能力（４２０）が与えられる。「スカウト」収集の再採取の後、ユーザにはトモシンセシス収集の実行（４２４）前にトモシンセシス収集パラメータを編集（４１６）し、トモシンセシス再構成パラメータを編集する能力（４２０）が与えられる。ユーザがトモシンセシス再構成パラメータを編集するように選択した場合、ユーザはトモシンセシス収集の実行（４２４）前にトモシンセシス再構成パラメータを編集する（４２２）。ユーザがトモシンセシス再構成パラメータを編集しないように選択した場合、ユーザはトモシンセシス収集を実行する（４２４）。トモシンセシス収集を実行（４２４）した後、画像が処理される（４２６）。スライス画像が処理された後、ユーザには遡及的再構成を実行する能力（４２８）が与えられる。ユーザが遡及的再構成を実行するように選択した場合、ユーザは遡及的再構成を実行する（４３０）。ユーザが遡及的再構成を実行しないように選択した場合、ユーザにはスライス変更自動転送を実行する能力（４３２）が与えられる。ユーザがスライス変更自動転送を実行するように選択した場合、ユーザはスライス変更自動転送を実行する（４３４）。ユーザがスライス変更自動転送を実行しないように選択した場合、ユーザには画像アノテーション伝播を実行する能力（４３６）が与えられる。ユーザが画像アノテーション伝播を実行するように選択した場合、ユーザは画像アノテーション伝播を実行する（４３８）。ユーザが画像アノテーション伝播を実行しないように選択した場合、ユーザには画質チェックタグ選択を実行する能力（４４０）が与えられる。ユーザが画像チェックタグ選択を実行するように選択した場合、ユーザは画質チェックタグ選択を実行（４４２）し、作業フロー方法４００は工程４４４で終了する。ユーザが画像チェックタグ選択を実行しないように選択した場合、作業フロー方法４００は工程４４４で終了する。
【００２９】
図５は、ユーザインタフェース・トモシンセシス再構成選好編集ツール５００の例示的一実施形態の概要図である。このユーザインタフェースツール５００は、ディジタル放射線学的トモシンセシスシステムにおいて再構成選好パラメータを設定するために使用されることがある。ユーザインタフェースツール５００は、ユーザに対して指定の解剖学ビュー及び患者サイズに関するスライス再構成パラメータのカスタマイズを可能にさせるトモシンセシス選好編集ツールである。システムユーザがトモシンセシス検査を開始する場合に、ユーザは、１）患者解剖部位内のどこでスライスを再構成させるべきか、及び２）トモシンセシス収集について（単一照射収集と比較して）どの位の線量を用いるべきか、を理解している必要がある。ユーザはさらに、自らの以前の知識や経験に基づいてシステムのカスタマイズを希望することがある。これはトモシンセシス再構成選好ユーザインタフェースツール５００を用いることによって実現される。
【００３０】
再構成選好によって、所与の解剖学ビュー及び患者サイズ（解剖部位、ビュー、患者サイズ）に対するスライスを生成するためのスライスパラメータ（開始高さ、終了高さ、スライス間隔、サンプリング係数）が規定される。ユーザインタフェースツール５００によってユーザはトモシンセシス収集のためのスライス再構成パラメータの選択または編集が可能になる。
【００３１】
ユーザは指定の解剖部位５０２、ビュー５０４及び患者サイズ５０６を選択し、次いで表１に記載したような再構成パラメータ（開始高さ５１０、終了高さ５１２、スライス間隔５１４、サンプリング係数５１６、スライス数５１８）を選択することがある。
表１  トモシンセシス再構成パラメータ
【００３２】
【表１】
0005274119.tif 000002
再構成パラメータの組を選択した後でユーザは、当該解剖部位、ビュー及び患者サイズに関する設定をデータベース内に保存させるための「保存」機能５２０を選択することがある。ユーザインタフェースツール５００はさらに、別の患者サイズに関して同じ設定を保存させるための「マルチ保存」機能５２２を提供することがある。図６は、図５のユーザインタフェース・トモシンセシス再構成選好編集ツール５００上で「マルチ保存」機能５２２を選択した時点で現れるポップアップウィンドウ・ユーザインタフェース「マルチ保存」ツール６００を表している。図５では「マルチ保存」機能５２２は、指定の患者サイズあるいは別の患者サイズに合わせたユーザインタフェース・トモシンセシス再構成選好編集ツール５００の設定を保存することがある。「閉じる」機能５２４は、ディスプレイ上でユーザインタフェース・トモシンセシス再構成選好編集ツール５００を閉じさせるものとすることがある。
【００３３】
例示的一実施形態では、解剖部位５０２パラメータは、解剖部位に関する様々な選択肢からなるドロップダウンリストを含むことがある。例示的一実施形態では、ビュー５０４パラメータは、ビューに関する様々な選択肢からなるドロップダウンリストを含むことがある。例示的一実施形態では、患者サイズ５０６パラメータは、例えば小柄の成人、中程度の成人、大柄の成人、小柄の小児、中程度の小児、大柄の小児など患者サイズに関する様々な選択肢からなるドロップダウンリストを含むことがある。
【００３４】
例示的一実施形態では、再構成パラメータを事前定義とすることがある。例示的一実施形態では、開始高さ５１０パラメータは収集の開始点を指定する任意の数値とすることができる。例示的一実施形態では、終了高さ５１２パラメータは収集の終了点を指定する任意の数値とすることができる。例示的一実施形態では、スライス間隔５１４パラメータは１ｍｍ〜５０ｍｍの範囲内とすることがある。例示的一実施形態では、サンプリング係数５１６パラメータはスライス間隔までの任意の奇数値とすることができる。スライス距離は１ｍｍ程度に小さくすることができる。ユーザインタフェース・トモシンセシス再構成選好編集ツール５００は、目下選択しているパラメータ値５１０、５１２、５１４、５１６が与えられたときに予期されるスライス数５１８に関する指示を含む。スライス数５１８パラメータは、上で規定した別の再構成パラメータから計算した値である。例示的一実施形態では、再構成パラメータ（開始高さ、終了高さ、スライス間隔、サンプリング係数）は、所与の解剖学ビュー及び患者サイズ（解剖部位、ビュー、患者サイズ）に関するデフォルト値を含むことがある。
【００３５】
図６は、ユーザインタフェース「マルチ保存」ツール６００の例示的一実施形態の概要図である。このユーザインタフェースツール６００は、患者サイズ群に関する再構成パラメータの設定を保存するために使用されることがある。このユーザインタフェースツール６００はさらに、複数の検査（例えば、静脈性腎盂造撮影（ＩＶＰ）、腹部、下部脊椎、その他）に関する再構成パラメータの設定を保存するために使用されることがある。換言するとユーザは、ユーザインタフェース・トモシンセシス再構成選好編集ツール５００内に複数の検査に関する設定を保存することができる。
【００３６】
ユーザインタフェース「マルチ保存」ツール６００は、例えば全者、全小児、全成人、小柄の小児、中程度小児、大柄の小児、小柄の成人、中程度成人及び大柄の成人など様々な患者サイズ６１０からなるドロップダウンリストを含むことがある。患者サイズ６１０を選択した後でユーザは、選択した患者サイズに関する設定をデータベース内に保存させる「保存」機能６２０を選択することがある。「閉じる」機能６３０は、ディスプレイ上のユーザインタフェース「マルチ保存」ツール６００を閉じるために使用することができる。
【００３７】
図７は、ユーザインタフェース線量選好編集ツール７００の例示的一実施形態の概要図である。このユーザインタフェースツール７００は、ディジタル放射線学的トモシンセシスシステムにおける線量の設定のために使用されることがある。ユーザインタフェースツール７００によってユーザは、パラメータトモシンセシス収集のための線量比の編集が可能となる。ユーザインタフェースツール７００は、所与の解剖部位７０２、ビュー７０４及び患者サイズ７０６に対する線量比７１０の選択のために使用されることがある。ユーザインタフェースツール７００は、ユーザに対して指定の解剖学ビュー及び患者サイズに関する線量パラメータのカスタマイズを可能にさせるトモシンセシス選好編集ツールである。
【００３８】
トモシンセシス収集に関する線量（または、ｍＡｓ）は、「スカウト」収集と呼ぶ通常ビューの単一照射収集に基づいて計算される。トモシンセシス収集では典型的には、ｋＶｐを「スカウト」画像の場合と同じとすることがあるが、各フレーム収集ごとのｍＡｓは次式のようにして「スカウト」収集におけるｍＡｓから導出される。
【００３９】
ｍＡｓＴｏｍｏ  ＝  ｍＡｓＳＣＯＵＴ＊ＤｏｓｅＲａｔｉｏ／Ｎ
上式において、Ｎはトモシンセシス掃引収集におけるフレームの総数であり、またＤｏｓｅＲａｔｉｏはトモシンセシス収集の総ｍＡｓが「スカウト」収集に対して何倍になるかを示す乗数である。
【００４０】
ユーザは、指定の解剖部位７０２、ビュー７０４及び患者サイズ７０６を選択し、次いで線量比７１０を選択する。線量比は、「スカウト」収集の線量を基準としてトモシンセシス収集の線量を制御する。
【００４１】
例示的一実施形態では、ユーザインタフェース線量選好編集ツール７００によってユーザは指定の解剖学ビュー及び患者サイズに関して線量比をカスタマイズすることが可能となり、この線量比によってトモシンセシス収集の線量がスカウト収集を基準として制御される。
【００４２】
線量比７１０パラメータを選択した後、ユーザは当該解剖部位、ビュー及び患者サイズに関する線量比をデータベース内に保存するための「保存」機能７２０を選択することがある。ユーザインタフェースツール７００はさらに、別の患者サイズについても同じ設定を保存するための「マルチ保存」機能７２２を提供することがある。図６は、ユーザインタフェース線量選好編集ツール７００上で「マルチ保存」機能７２２を選択した時点で現れるポップアップウィンドウ・ユーザインタフェース「マルチ保存」ツール６００を表している。「マルチ保存」機能７２２は、指定の患者サイズあるいは別の患者サイズに合わせてユーザインタフェース線量選好編集ツール７００の線量比７１０設定を保存することがある。「閉じる」機能７２４は、ディスプレイ上でユーザインタフェース線量選好編集ツール７００を閉じさせるものとすることがある。
【００４３】
例示的一実施形態では、解剖部位７０２パラメータは、解剖部位に関する様々な選択肢からなるドロップダウンリストを含むことがある。例示的一実施形態では、ビュー７０４パラメータは、ビューに関する様々な選択肢からなるドロップダウンリストを含むことがある。例示的一実施形態では、患者サイズ７０６パラメータは、例えば小柄の成人、中程度の成人、大柄の成人、小柄の小児、中程度の小児、大柄の小児など患者サイズに関する様々な選択肢からなるドロップダウンリストを含むことがある。
【００４４】
例示的一実施形態では、線量パラメータを事前定義とすることがある。例示的一実施形態では、線量パラメータ（線量比）は、所与の解剖学ビュー及び患者サイズ（解剖部位、ビュー、患者サイズ）に関するデフォルト値を含むことがある。
【００４５】
図８は、「スカウト省略」８１０機能を表したユーザインタフェース「スカウト」収集編集ツール８００の例示的一実施形態の概要図である。このユーザインタフェースツール８００は、「スカウト」収集パラメータを選択し、ディジタル放射線学的トモシンセシスシステムの「スカウト」収集を実行するために使用されることがある。ユーザインタフェースツール８００は、「スカウト」収集パラメータをカスタマイズするための「スカウト」収集編集ツールである。トモシンセシス収集が開始されると常に、システムはトモシンセシス「スカウト」収集ユーザインタフェースツール８００で開始されることになる。「スカウト」収集は、患者位置並びに撮像域（ＦＯＶ）やＸ線技法（ｋＶ、ｍＡｓ）などの照射設定の決定に使用できる標準的な従来式の単一照射収集である。Ｘ線照射の完了後に、ユーザはパラメータ設定が正しいか否かを確認することがある。掃引収集を確実に正しくさせるために複数の「スカウト」収集が採取されることがある。
【００４６】
しかしこの「スカウト」収集は、検査時間及び患者への被曝を増大させることがある。線量及び検査時間を低減するためには、上級のユーザ向けにユーザインタフェース「スカウト」収集編集ツール８００上で「スカウト省略」８１０機能が利用可能である。「スカウト省略」８１０機能の選択によって、ユーザインタフェース「スカウト」収集編集ツール８００上に「最適技法の取得にはスカウト収集が推奨される」などと書かれた確認ポップアップウィンドウ８２０が表示される。「スカウト」収集の省略を承認すると、システムは選択された解剖部位／ビュー／患者サイズに対するデフォルトのＶｏｌｕｍｅＲＡＤ技法に戻ることになる。収集前にさらに技法を調整することがある。「スカウト省略」機能を承認すると、システムは「スカウト」収集の完了を要することなくユーザインタフェース・トモシンセシス収集編集ツールに自動的に切り替えられる。
【００４７】
図９は、「スカウト再採取」９１０機能を表したユーザインタフェース・トモシンセシス収集編集ツール９００の例示的一実施形態の概要図である。このユーザインタフェースツール９００は、トモシンセシス収集パラメータを選択し、ディジタル放射線学的トモシンセシスシステムにおいてトモシンセシス収集を実行するために使用されることがある。ユーザインタフェースツール９００はトモシンセシス収集パラメータをカスタマイズするためのトモシンセシス収集編集ツールである。従来の単一照射「スカウト」収集が完了した後、あるいは「スカウト省略」機能が選択された後、システムはトモシンセシス収集モードに自動的に切り替えられる。このユーザインタフェースツール９００はトモシンセシス収集情報９２０を含むことがある。例示的一実施形態では、ユーザインタフェース・トモシンセシス収集編集ツール９００は収集すべき照射数（収集数）、トモシンセシス収集の終了時に表示させるスライス数、及び総収集時間９２０を表示する。例示的一実施形態では、ユーザインタフェース・トモシンセシス収集編集ツール９００は、トモシンセシス収集の完了後に収集線量情報を表示する。さらにユーザインタフェースツール９００は操作指令メッセージ９３０を含むことがある。例えば操作指令メッセージは、トモシンセシス収集のための初期位置までＸ線源を移動させるための自動位置決めの実行に関する情報を含むことがある。トモシンセシス収集モードにあるときは、ユーザインタフェース・トモシンセシス収集編集ツール９００は、システムを図８に表した「スカウト」収集モード及びユーザインタフェース「スカウト」収集編集ツール８００まで戻すための「スカウト再採取」９１０機能を含むことがある。
【００４８】
図１０は、「リコン編集」（再構成編集）１０１０機能を表しているユーザインタフェース・トモシンセシス収集編集ツール１０００の例示的一実施形態の概要図である。このユーザインタフェースツール１０００は、トモシンセシス収集の実行前にトモシンセシス再構成パラメータを編集するために使用されることがある。ユーザインタフェースツール１０００は、トモシンセシス収集パラメータをカスタマイズするためのトモシンセシス収集編集ツールである。「リコン編集」１０１０機能を選択すると、図１１に示したポップアップウィンドウ・ユーザインタフェース「リコン編集」（再構成編集）ツール１１００が現れ、これによってユーザは、当該検査タイプに関するデフォルトパラメータを変更せずに目下の収集に関する再構成パラメータを検討及び／または変更することが可能である。
【００４９】
図１１は、トモシンセシス再構成パラメータを表したユーザインタフェース「リコン編集」（再構成編集）ツール１１００の例示的一実施形態の概要図である。このユーザインタフェースツール１１００は、トモシンセシス収集の実行前にトモシンセシス再構成パラメータを編集するために使用されることがある。トモシンセシス再構成パラメータは、開始高さ１１１０、終了高さ１１１２、スライス間隔１１１４、サンプリング係数１１１６及びスライス数１１１８を含むことがある。「適用」機能１１２０は、トモシンセシス再構成パラメータの目下の設定を保存するために使用されることがあるが、デフォルト設定は変更しないことがある。「キャンセル」機能１１３０は、トモシンセシス再構成パラメータの目下の設定をキャンセルするために使用されることがある。
【００５０】
図１２は、ユーザインタフェース「遡及画像リコン処理」（遡及的画像再構成処理）編集ツール１２００の例示的一実施形態の概要図である。このユーザインタフェースツール１２００は複数のスライス画像１２０１、１２０２、１２０３、１２０４を含む。このユーザインタフェースツール１２００は、トモシンセシス収集の実行後でスライス画像のトモシンセシス再構成パラメータを変更するために使用できるスライス画像処理編集ツールである。ユーザインタフェースツール１２００は、ユーザに対してトモシンセシス収集の実行後にスライス画像のスライス再構成パラメータのカスタマイズを可能とさせる遡及的再構成編集ツールである。換言するとユーザインタフェースツール１２００は、ユーザに対して、異なるパラメータによってトモシンセシススライスを遡及的に（すなわち、画像をデフォルトパラメータによって収集しかつ表示させた後で）容易かつ本能的に再構成することを可能とさせる遡及的再構成編集ツールである。
【００５１】
トモシンセシス収集の実行後にスライス画像を再構成するために遡及的再構成が使用されることがある。ユーザはスライス画像からなる新たな組（複数組のこともある）を再構成するために、異なるトモシンセシス再構成パラメータ１２１０及び異なる画像処理「ルック」１２２０を選択することがある。ユーザインタフェース１２００内の再構成パラメータ１２１０（開始高さ、終了高さ、スライス間隔、サンプリング係数、スライス数）は表１で規定される。ユーザが実施する必要があることは、再構成パラメータの組１２１０及び事前定義の工場「ルック」１２２０を選択すること、次いで遡及的再構成を開始させるために「リコン」１２３０機能を選択することだけである。画像が収集された後、ユーザは同じ投影データを選択して異なる再構成を実行することがある。換言するとトモシンセシス収集後にユーザは、異なる再構成パラメータ１２１０及び異なる画像処理「ルック」１２２０を選択し、スライス画像からなる新たな組（複数組のこともある）を再構成することができる。
【００５２】
例示的一実施形態では、ユーザインタフェース遡及的画像再構成処理編集ツール１２００は、ユーザに対して異なるパラメータによってトモシンセシススライスを遡及的に（すなわち、画像をデフォルトパラメータによって収集しかつ表示させた後で）再構成することを可能にさせている。
【００５３】
図１３は、ユーザインタフェース「スライス変更自動転送」ツール１３００の例示的一実施形態の概要図である。このユーザインタフェースツール１３００は複数のスライス画像１３０１、１３０２、１３０３、１３０４を含む。このユーザインタフェースツール１３００は、トモシンセシス収集の実行後でスライス画像の画像提示パラメータを変更するために使用できるスライス画像処理編集ツールである。換言するとユーザインタフェースツール１３００は、ユーザに対して任意の単一スライスパラメータが変化したときにトモシンセシス画像スライス系列全体に対する変更の適用を可能とさせる自動転送ツールである。
【００５４】
トモシンセシススライス画像は同じ解剖学的構造を様々な高さで提示するため、ユーザに対してそのスライス画像の同じ画像提示パラメータでの検討を可能にさせるのに好都合であり、これによればスライス画像のうちの１つが変更されると、この変更が一連のスライス画像内のスライス画像のすべてに自動的に適用される。ユーザインタフェースツール１３００上には、ユーザに対してスライス画像の画像提示パラメータの変更を可能にさせるために複数の画像表示ツール１３１０が設けられる。例示的一実施形態では、変更され得る画像提示パラメータのうちの幾つかには例えば、ウィンドウ幅（ＷＷ）、ウィンドウレベル（ＷＬ）、画像反転、回転、フリップ、ズーム、及び関心対象値ルックアップテーブル（ＶＯＩ  ＬＵＴ）選択が含まれる。ユーザインタフェースツール１３００上でさらに、スライス画像をその初期または以前の画像提示パラメータを用いた初期提示または以前の提示に戻すために「画像リストア」１３２０機能を利用可能とさせることがある。
【００５５】
例示的一実施形態では、ユーザインタフェース「スライス変更自動転送」ツール１３００によってユーザは、任意の単一スライスの属性が変化したときにトモシンセシス画像スライス系列全体に対して変更を適用することが可能となる。例示的一実施形態では、ユーザインタフェース「スライス変更自動転送」ツール１３００によってユーザは、トモシンセシス画像スライス系列全体の表示輝度及びコントラストの変更が可能となる。例示的一実施形態では、ユーザインタフェース「スライス変更自動転送」ツール１３００によってユーザはトモシンセシス画像スライス系列全体の表示ズーム率の変更が可能となる。例示的一実施形態では、ユーザインタフェース「スライス変更自動転送」ツール１３００によってユーザは、トモシンセシス画像スライス系列全体の画像表示方向の変更が可能となる。
【００５６】
図１４は、ユーザインタフェース「画像アノテーション伝播」ツール１４００の例示的一実施形態の概要図である。このユーザインタフェースツール１４００は複数のスライス画像１４０１、１４０２、１４０３、１４０４を含む。このユーザインタフェースツール１４００は、トモシンセシス収集の実行後でスライス画像に対するアノテーションの付加または除去に使用できるスライス画像処理編集ツールである。換言するとユーザインタフェースツール１４００は、ユーザに対してトモシンセシス画像スライス系列全体またはある範囲のスライス画像系列に対するアノテーションの追加または削除を可能とさせるアノテーションツールである。
【００５７】
トモシンセシススライス画像は同じ解剖学的構造を様々な高さで提示するため、一連のスライス画像のうちの全スライス画像または選択したスライス画像に対してユーザがアノテーションを付加できることが望ましい。これらのアノテーションは、一連のスライス画像のうちの選択した１つのスライス、ある範囲のスライス、あるいは全スライスに対して付加することができる。ユーザインタフェースツール１４００上には、スライス画像に対するアノテーションの付加をユーザに可能にさせる複数の画像アノテーションツール１４１０が設けられる。例示的一実施形態では、付加し得るアノテーションのうちの幾つかには、例えば直線、楕円、ｃｏｂｂ、テキスト列、「隠す（Ｈｉｄｅ）」、「消去（Ｅｒａｓｅ）」、「全消去（Ｅｒａｓｅ  Ａｌｌ）」及び「ＲＬ」を含むことがある。「ＲＬ」アノテーションは、解剖部位の「右側」や「左側」を示すために付加されることがある。スライス画像１４０１、１４０２、１４０３、１４０４のそれぞれに付加されるアノテーション１４１１、１４１２、１４１３、１４１４の例を図１４に表している。「スライス適用」１４２０機能は、選択したスライス画像に対するアノテーションの付加のためにユーザインタフェースツール１４００上で利用可能とさせることがある。したがってユーザが選択したスライス画像に対するアノテーションの付加を希望する場合、ユーザは「スライス適用」１４２０機能を選択することによってアノテーションを付加することができる。例示的一実施形態では、一連のスライス画像のすべてのスライスに対してアノテーションを自動的に付加することができる。
【００５８】
例示的一実施形態では、ユーザインタフェース「画像アノテーション伝播」ツール１４００は、ユーザに対してトモシンセシス画像スライス系列全体またはスライス系列のある範囲に対するアノテーションの追加または削除を可能にしている。例示的一実施形態では、ユーザインタフェース「画像アノテーション伝播」ツール１４００によってユーザは、トモシンセシス画像スライス系列全体またはスライス系列のある範囲に関してアノテーションの箇所の変更が可能となる。
【００５９】
図１５は、ユーザインタフェース「品質管理タグ」選択ツール１５００の例示的一実施形態の概要図である。このユーザインタフェースツール１５００は、トモシンセシス収集の実行後に一連のスライス画像内の全スライス画像または選択したスライス画像に対して「品質管理タグ」を付加するために使用されることがある。受容可能な画像であると確認されるとスライス画像に対して品質管理タグが付与される。トモシンセシス収集では多数のスライス画像が作成されるため、ユーザは選択したスライス画像に品質管理タグを付与するために、あるスライス画像系列内の全スライス画像１５１０またはある範囲のスライス画像１５２０を選択できる必要がある。したがって品質管理タグは、全スライス画像１５１０に対して、あるいは指定のスライスやある範囲のスライスを含み得る指定の範囲のスライス画像１５２０に対して付与されることがある。「適用」機能１５３０は、選択したスライス画像に対して品質管理タグを付与するために使用されることがある。「キャンセル」機能１５４０は、選択したスライス画像に対する品質管理タグの付与をキャンセルするために使用されることがある。
【００６０】
例示的一実施形態では、「自動プッシュ（Ａｕｔｏ  Ｐｕｓｈ）」及び「自動プリント（Ａｕｔｏ  Ｐｒｉｎｔ）」機能は、画像蓄積伝送システム（ＰＡＣＳ）やプリンタに、放射線医その他の医療スタッフによる検討が可能な「良好な」画像を自動的に送るためのオプションである。例示的一実施形態では本システムは、スライス画像に対して品質管理タグを自動的に付与（ｏｎ）または非付与（ｏｆｆ）とするために「自動タグ付け（Ａｕｔｏ  Ｔａｇ）（品質チェック）」をｏｎまたはｏｆｆとさせるように構成することができる。
【００６１】
図１６は、ユーザインタフェース「画像観察器のタグ付けスライス表示」ツール１６００の例示的一実施形態の概要図である。このユーザインタフェースツール１６００は複数のスライス画像１６０１、１６０２、１６０３、１６０４を含む。このユーザインタフェースツール１６００は、一連のスライス画像内の全スライス画像または選択したスライス画像に対して「品質管理タグ」を付加するために使用できるスライス画像処理編集ツールである。換言するとユーザインタフェースツール１６００は、トモシンセシス画像スライス系列全体またはスライス系列のある範囲に関してユーザに対して品質チェックタグの付加または除去を可能とさせる品質チェックタグツールである。
【００６２】
ユーザインタフェースツール１６００には、ユーザに対して選択した画像スライスに対する品質管理タグの付与を可能にさせるための「品質管理タグ」１６１０機能が設けられる。ユーザは図１５に示したユーザインタフェースツール１５００を介して、全スライス１５１０またはある範囲のスライス１５２０にタグ付けするように選択することができる。ある範囲のスライスをタグ付けする場合、品質管理タグマーカ「Ｔ」が各画像スライスの右下隅に表示される。例えば図１６は、各画像スライスの右下隅に品質管理タグマーカ「Ｔ」が表示されるように品質管理がタグ付けされた３つのスライス画像１６０２、１６０３、１６０４と、品質管理タグ付けがされていない１つのスライス画像１６０１を表している。品質管理タグ付け画像１６０２、１６０３、１６０４は、検討のためにＰＡＣＳ、プリンタ、あるいは放射線医その他の医療スタッフに送られることがある。
【００６３】
例示的一実施形態では、ユーザインタフェース「画像観察器のタグ付けスライス表示」ツール１６００は、ユーザに対してトモシンセシス画像スライス系列全体またはスライス系列のある範囲に対する品質チェックタグの追加または削除を可能にさせている。
【００６４】
例示的一実施形態では、開示したユーザインタフェースツールはディジタルＸ線放射トモシンセシスシステムにおいて実現することができる。例示的一実施形態では、開示したユーザインタフェースツールはディジタルＸ線マンモグラフィ・トモシンセシスシステムにおいて実現することができる。
【００６５】
記載した実施形態によれば、ディジタルＸ線放射トモシンセシスシステムに関する臨床利用の効率を高めるためのユーザフレンドリなインタフェース及び作業フローが提供される。このユーザフレンドリなインタフェース及び作業フローは、トモシンセシス再構成、線量及び収集パラメータの簡単な設定、並びに様々な検査及び／または患者群に関するそのカスタマイズに関してユーザを支援するように構成される。さらにこのユーザフレンドリなインタフェース及び作業フローによってユーザは、トモシンセシス再構成、線量及び収集パラメータを直感的な方式で容易に調整することが可能となる。
【００６６】
幾つかの実施形態について図面を参照しながら上で説明している。これらの図面は、システム、方法及びコンピュータプログラムを実現した特定の実施形態に関するある種の詳細を図示したものである。しかし図面は、これらの図面に示した機能に伴う制約を課したものと解釈すべきではない。本開示は、その動作を実現するための方法、システム、及び任意の機械読み取り可能媒体上のプログラム成果物を企図している。上で指摘したように本実施形態は、既存のコンピュータプロセッサを用いて実現されること、あるいはこの目的や別の目的のために組み込まれた特殊目的のコンピュータプロセッサによるか実配線式やワイヤレス式システムによって実現されることがある。
【００６７】
一実施形態では例えばネットワーク環境内の装置により実行されるプログラムモジュールの形態をしたプログラムコードなどのマシン実行可能命令を含んだプログラム成果物によって実現し得る方法工程の一般的コンテキストで実施形態を記載している。一般にプログラムモジュールは、特定のタスクを実行するあるいは特定の抽象的データ種別を実現しているルーチン、プログラム、オブジェクト、コンポーネント、データ構造、その他を含む。マシン実行可能命令、関連データ構造及びプログラムモジュールは、本明細書に開示した方法の工程を実行するプログラムコードの一例を示している。こうした実行可能命令または関連データ構造の特定のシーケンスはこうした工程に記載した機能を実現するための対応する動作の一例を示している。
【００６８】
上で指摘したように、本趣旨域内にある実施形態は、マシン実行可能命令またはデータ構造をその上に保存して保持または有する機械読み取り可能媒体を備えたプログラム成果物を含む。こうした機械読み取り可能媒体は、汎用または特殊目的のコンピュータ、あるいはプロセッサを備えた別の装置によってアクセスを受けることが可能な利用可能な任意の媒体とすることができる。一例として、こうした機械読み取り可能媒体は、ＲＡＭ、ＲＯＭ、ＰＲＯＭ、ＥＰＲＯＭ、ＥＥＰＲＯＭ、フラッシュ、ＣＤ−ＲＯＭその他の光ディスク記憶装置、磁気ディスク記憶装置その他の磁気記憶デバイス、あるいはマシン実行可能命令またはデータ構造の形態をした所望のプログラムコードを保持または保存するために使用可能でありかつ汎用または特殊目的のコンピュータ、あるいはプロセッサを備えた別の装置によってアクセスを受けることが可能な別の任意の媒体を含むことがある。ネットワークや別の通信接続（実配線、ワイヤレス、あるいは実配線やワイヤレスを組み合わせたもの）を介して装置に対して情報が転送または提供されると、該装置はその接続が機械読み取り可能媒体であると正しく確認する。したがって、こうした接続はいずれも機械読み取り可能媒体と呼ぶことが適当である。上記のものを組み合わせたものもこの機械読み取り可能媒体の範疇に包含される。マシン実行可能命令には、例えば汎用のコンピュータ、特殊目的のコンピュータあるいは特殊目的の処理装置に対してある種の機能または機能群を実行させる命令及びデータが含まれる。
【００６９】
実施形態は、プロセッサを有する１つまたは複数の遠隔コンピュータに対する論理接続を用いてネットワーク環境内で実施されることがある。論理接続は、本明細書に一例として提示した限定を意味しないローカルエリアネットワーク（ＬＡＮ）及びワイドエリアネットワーク（ＷＡＮ）を含むことがある。こうしたネットワーク環境は、全オフィス域または全企業域コンピュータネットワーク、イントラネット及びインターネットにおいて一般的であり、多種多様な異なる通信プロトコルを用いることができる。こうしたネットワークコンピューティング環境は典型的には、パーソナルコンピュータ、ハンドへルド型デバイス、マルチプロセッサシステム、マイクロプロセッサベースまたはプログラム可能式の民生用電子機器、ネットワークＰＣ、ミニコンピュータ、メインフレームコンピュータ、その他を含め多くのタイプのコンピュータシステム構成を包含することになることは当業者であれば理解されよう。実施形態はさらに、分散式コンピューティング環境内で実施させ、通信ネットワークを介して（実配線リンク、ワイヤレスリンク、あるいは実配線やワイヤレスリンクを組み合わせたものによって）リンクさせたローカル及びリモートの処理デバイスによってタスクが実行されることもある。分散式コンピューティング環境では、プログラムモジュールはローカルとリモートの両方のメモリ記憶デバイス内に配置されることがある。
【００７０】
システムの全体またはその一部を実現するための例示的な一システムは、処理ユニット、システムメモリ、並びにシステムメモリを含む様々なシステム構成要素を処理ユニットに結合させるシステムバスを含んだコンピュータの形態をした汎用のコンピューティングデバイスを含むことがあり得る。このシステムメモリは、読出し専用メモリ（ＲＯＭ）やランダムアクセスメモリ（ＲＡＭ）を含むことがある。このコンピュータはさらに、磁気ハードディスクに対する読み出しや書き込みのための磁気ハードディスクドライブ、取外し可能磁気ディスクに対する読み出しや書き込みのための磁気ディスクドライブ、並びにＣＤ−ＲＯＭや別の光学媒体などの取外し可能光ディスクに対する読み出しや書き込みのための光ディスクドライブを含むことがある。これらのドライブ並びにその関連する機械読み取り可能媒体は、マシン実行可能命令、データ構造、プログラムモジュール及びコンピュータ向けの別のデータに対する不揮発型の記憶装置を提供する。
【００７１】
本明細書に開示した実施形態を任意の放射線学システムの形成に適用し得ることは当業者であれば理解されよう。特許請求した主題の実施形態のある種の特徴及び要素について本明細書に記載して例証してきたが、これにより当業者には多くの修正形態、代替形態、変形形態及び等価形態が得られよう。さらに、幾つかの機能ブロック並びにこれらの間の関係について詳細に記載してきたが、その動作のうちの幾つかが別の機能を使用せずに実施されることがあること、あるいは追加的機能や機能間の関係を特許請求した主題に従って確立し得ることは当業者であれば理解されよう。したがって添付の特許請求の範囲は、特許請求した主題の実施形態の真の精神の域内にあるこうした修正形態や変化形態のすべてを包含するように意図していることを理解すべきである。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００７２】
【図１】テーブル構成を有するディジタルＸ線放射トモシンセシスシステムの例示的一実施形態の模式図である
【図２】壁面スタンド構成を有するディジタルＸ線放射トモシンセシスシステムの例示的一実施形態の模式図である。
【図３】ディジタルＸ線放射トモシンセシスシステムの作業フロー方法の例示的一実施形態の流れ図である。
【図４】ディジタルＸ線放射トモシンセシスシステムの作業フロー方法の例示的一実施形態の流れ図である。
【図５】ユーザインタフェース・トモシンセシス再構成選好編集ツールの例示的一実施形態の概要図である。
【図６】ユーザインタフェース「マルチ保存」ツールの例示的一実施形態の概要図である。
【図７】ユーザインタフェース線量選好編集ツールの例示的一実施形態の概要図である。
【図８】「スカウト省略」機能を表したユーザインタフェース「スカウト」収集編集ツールの例示的一実施形態の概要図である。
【図９】「スカウト再採取」機能を表したユーザインタフェース・トモシンセシス収集編集ツールの例示的一実施形態の概要図である。
【図１０】「リコン編集」（再構成編集）機能を表したユーザインタフェース・トモシンセシス収集編集ツールの例示的一実施形態の概要図である。
【図１１】ユーザインタフェース「リコン編集」（再構成編集）ツールの例示的一実施形態の概要図である。
【図１２】ユーザインタフェース「遡及画像リコン処理」（遡及的画像再構成処理）編集ツールの例示的一実施形態の概要図である。
【図１３】ユーザインタフェース「スライス変更自動転送」ツールの例示的一実施形態の概要図である。
【図１４】ユーザインタフェース「画像アノテーション伝播」ツールの例示的一実施形態の概要図である。
【図１５】ユーザインタフェース「品質管理タグ」選択ツールの例示的一実施形態の概要図である。
【図１６】ユーザインタフェース「画像観察器のタグ付けスライス表示」ツールの例示的一実施形態の概要図である。
【符号の説明】
【００７３】
１００  トモシンセシスシステム
１０２  Ｘ線源
１０４  Ｘ線検出器
１０６  患者
１０８  Ｘ線ビーム
１１０  面
１１２  面
１１４  角度
１１６  テーブル
１１８  天板
１２０  トモシンセシス撮像システム
１３０  コンピュータワークステーション
１３２  コンピュータ
１３４  制御器
１３６  プロセッサ
１３８  メモリ
１４０  ユーザインタフェース
１５０  ユーザ
２００  トモシンセシスシステム
２０２  Ｘ線源
２０４  Ｘ線検出器
２０６  患者
２０８  Ｘ線ビーム
２１０  面
２１２  面
２１４  角度
２１６  壁面スタンド
２３０  コンピュータワークステーション
２３４  制御器
２３６  プロセッサ
２３８  メモリ
２４０  ユーザインタフェース
２５０  ユーザ
３００  方法
３０２  方法工程
３０４  方法工程
３０６  方法工程
３０８  方法工程
３１０  方法工程
３１２  方法工程
３１４  方法工程
３１６  方法工程
３１８  方法工程
４００  方法
４０２  方法工程
４０４  方法工程
４０６  方法工程
４０８  方法工程
４１０  方法工程
４１２  方法工程
４１４  方法工程
４１６  方法工程
４１８  方法工程
４２０  方法工程
４２２  方法工程
４２４  方法工程
４２６  方法工程
４２８  方法工程
４３０  方法工程
４３２  方法工程
４３４  方法工程
４３６  方法工程
４３８  方法工程
４４０  方法工程
４４２  方法工程
４４４  方法工程
５００  トモシンセシス再構成選好編集ツール
５０２  解剖部位
５０４  ビュー
５０６  患者サイズ
５１０  開始高さ
５１２  終了高さ
５１４  スライス間隔
５１６  サンプリング係数
５１８  スライス数
５２０  保存機能
５２２  マルチ保存機能
５２４  閉じる機能
６００  マルチ保存ツール
６１０  患者サイズ
６２０  保存機能
６３０  閉じる機能
７００  線量選好編集ツール
７０２  解剖部位
７０４  ビュー
７０６  患者サイズ
７１０  線量比
７２０  保存機能
７２２  マルチ保存機能
７２４  閉じる機能
８００  スカウト収集編集ツール
８１０  スカウト省略機能
８２０  確認ポップアップウィンドウ
９００  トモシンセシス収集編集ツール
９１０  スカウト再採取機能
９２０  スライス数、収集、総時間
９３０  操作指令メッセージ
１０００  トモシンセシス収集編集ツール
１０１０  再構成編集機能
１１００  再構成編集ツール
１１１０  開始高さ
１１１２  終了高さ
１１１４  スライス間隔
１１１６  サンプリング係数
１１１８  スライス数
１１２０  適用機能
１１３０  キャンセル機能
１２００  遡及的画像再構成処理編集ツール
１２０１  スライス画像
１２０２  スライス画像
１２０３  スライス画像
１２０４  スライス画像
１２１０  トモシンセシス再構成パラメータ
１２２０  画像処理ルック
１２３０  再構成機能
１３００  スライス変更自動転送ツール
１３０１  スライス画像
１３０２  スライス画像
１３０３  スライス画像
１３０４  スライス画像
１３１０  画像表示ツール
１３２０  画像リストア機能
１４００  画像アノテーション伝播ツール
１４０１  スライス画像
１４０２  スライス画像
１４０３  スライス画像
１４０４  スライス画像
１４１０  画像アノテーションツール
１４１１  アノテーション
１４１２  アノテーション
１４１３  アノテーション
１４１４  アノテーション
１４２０  スライス適用機能
１５００  品質管理タグ選択ツール
１５１０  全スライス画像
１５２０  スライス画像範囲
１５３０  適用機能
１５４０  キャンセル機能
１６００  画像観察器のタグ付けスライス表示ツール
１６０１  スライス画像
１６０２  スライス画像
１６０３  スライス画像
１６０４  スライス画像
１６１０  品質管理タグ機能
１６１２  タグアノテーション
１６１３  タグアノテーション
１６１４  タグアノテーション
【図１】
0005274119.tif 000003
【図２】
0005274119.tif 000004
【図３】
0005274119.tif 000005
【図４】
0005274119.tif 000006
【図５】
0005274119.tif 000007
【図６】
0005274119.tif 000008
【図７】
0005274119.tif 000009
【図８】
0005274119.tif 000010
【図９】
0005274119.tif 000011
【図１０】
0005274119.tif 000012
【図１１】
0005274119.tif 000013
【図１２】
0005274119.tif 000014
【図１３】
0005274119.tif 000015
【図１４】
0005274119.tif 000016
【図１５】
0005274119.tif 000017
【図１６】
0005274119.tif 000018